(57)【要約】  ディスペンサーは、第一側面及び第二側面、並びに開放端部及び閉鎖端部を有する一次空洞を有し、開放端部がメモ用紙パッドの挿入及び取出しを可能にする。ディスペンサーは、ディスペンサーの閉鎖端部を画定するベースと、前側部分及び後側部分であって、それぞれの部分が、第一端部及び第二端部、並びに反対面をなす内側表面及び外側表面を有し、前側部分及び後側部分は、それぞれの部分の第二端部がベースに近接するようにベースの上に配置されており、前側部分が、第一端部から第二端部まで延びるスロットを含む、前側部分及び後側部分と、後側部分に近接して配置されたバイアス機構と、を更に含む。
2009544536.tif 000002
【特許請求の範囲】
【請求項１】
第一側面及び第二側面、並びに開放端部及び閉鎖端部を有する一次空洞を有するディスペンサーであって、前記開放端部がメモ用紙パッドの挿入及び取出しを可能にし、前記ディスペンサーが、
前記ディスペンサーの前記閉鎖端部を画定するベースと、
前側部分及び後側部分であって、それぞれの部分が、第一端部及び第二端部、並びに反対面をなす内側表面及び外側表面を有し、前記前側部分及び後側部分は、それぞれの部分の前記第二端部が前記ベースに近接するように前記ベースの上に配置されており、前記前側部分が、前記第一端部から前記第二端部まで延びるスロットを含む、前側部分及び後側部分と、
前記後側部分に近接して配置されたバイアス機構と、を更に含む、ディスペンサー。
【請求項２】
前記バイアス機構が、前記前側部分及び後側部分の前記内側表面の間にある、請求項１のディスペンサー。
【請求項３】
前記一次空洞の前記第一側面に近接するとともに二次空洞を形成する第一内部壁と、前記後側部分の前記内側表面から延びるとともに前記一次空洞の前記第二側面に近接する第二内部壁とを更に含む、請求項１のディスペンサー。
【請求項４】
前記前側部分及び後側部分が、前記一次空洞の第一側面及び第二側面に近接するサイドシームにて結合されている、請求項１のディスペンサー。
【請求項５】
前記前側部分及び後側部分が一体に形成されている、請求項１のディスペンサー。
【請求項６】
前記前側部分、後側部分、及びベースが一体に形成されている、請求項１のディスペンサー。
【請求項７】
前記前側部分内の前記スロットは、前記第二端部近辺よりも前記第一端部近辺で広い、請求項１のディスペンサー。
【請求項８】
木材、プラスチック、及び金属からなる群から選択される材料で作製される、請求項１のディスペンサー。
【請求項９】
前記プラスチックが、ＡＢＳ及びポリスチレンからなる群から選択される、請求項８のディスペンサー。
【請求項１０】
前記バイアス機構が、
前記バイアス機構を取り付けるための手段を有するアームと、
前記アームから延びるとともに、互いに反対側の側縁部、及び反対面をなす取付面及び支持面を有するプレートと、
前記後側部分の前記内側表面上に配置されるとともに、前記プレートの前記支持面に接触しており、前記プレートを前記前側部分の前記内側表面に向けて付勢するばねと、を含む、請求項１のディスペンサー。
【請求項１１】
前記プレートが、前記側縁部から延びる一対のリブを更に含む、請求項１のディスペンサー。
【請求項１２】
前記バイアス機構が、互いに反対側の側縁部、上縁部、並びに反対面をなす取付面及び支持面を有するプレートと、
前記後側部分の前記内側表面から延びるヒンジと、
前記プレートの前記側縁部からその上縁部に近接して延びるとともに、前記ヒンジに連通しているピンと、
前記ヒンジに近接して配置された延長部上に取り付けられるとともに２つのアームを有するねじりばねであって、第一アームが、前記後側部分の前記内側表面に接触し、第二アームが、前記プレートの前記支持面に接触している、ねじりばねと、を含む、請求項１のディスペンサー。
【請求項１３】
前記後側部分が、前記ディスペンサーを表面に取り付けるための手段を含む、請求項１のディスペンサー。
【請求項１４】
前記ディスペンサーを基材に取り付けるための前記手段が、剥離性接着剤のストリップである、請求項１３のディスペンサー。
【請求項１５】
前記第一部分が、その内側表面から延びる一対のガイドを更に含み、前記ガイドの間の距離が、第一内部壁と第二内部壁との間の距離より短い、請求項３のディスペンサー。
【請求項１６】
前記一次空洞が、１０．２ｃｍ×１０．２ｃｍ（４インチ×４インチ）又は７．６ｃｍ×７．６ｃｍ（３インチ×３インチ）の再配置可能なメモ用紙のパッドを保持する、請求項１５のディスペンサー。
【請求項１７】
再配置可能なメモ用紙のパッドを更に含み、前記メモ用紙が、ｚ字積み重ね形状に積み重ねられている、請求項１のディスペンサー。
【請求項１８】
約１４．０ｃｍ（５．５インチ）の長さ、約９．２ｃｍ（３．６３インチ）の高さ、及び約２．５ｃｍ（１インチ）の奥行を有する、請求項１のディスペンサー。
【請求項１９】
前記一次空洞が、約１０．８ｃｍ（４．２５インチ）の長さを有し、前記二次空洞が、約２．５ｃｍ（１インチ）の長さを有する、請求項１８のディスペンサー。
【請求項２０】
前記前側部分及び後側部分の少なくとも１つが半透明である、請求項１のディスペンサー。
【発明の詳細な説明】
【技術分野】
【０００１】
本発明は、上開放型ディスペンサー（open top dispenser）に関する。特に、本発明は、異なるサイズの再配置可能なメモ用紙のパッドの容易な装填及び再装填を可能にする、ディスペンサーに関する。本ディスペンサーは、ｚ字積み重ね形状の再配置可能なメモ用紙を分配するのに、特に適している。
【背景技術】
【０００２】
再配置可能なメモ用紙は、今日では広く使用されている。幾つかのメモ用紙は、ｚ字積み重ね（「扇折り」とも呼ばれる）構成に組み立てられている。そのような構成では、メモ用紙は、典型的には正方形であるが、長方形又は特殊ダイカット形状でもよく、反対面をなす前側表面及び後側表面を有する。メモ用紙の一縁部又は一領域に沿って、後側表面には、再配置可能な接着剤のストライプがある。メモ用紙の前側は、剥離コーティングを含んでもよい。メモ用紙が積み重ねられているので、各メモ用紙の接着剤ストライプは、メモ用紙パッドの交互の端部上に位置する。市販の再配置可能なメモ用紙のパッドが、３Ｍ社（3M Company）からポストイット（Post-it：登録商標）ブランドで入手可能である。
【０００３】
再配置可能なメモ用紙のパッド用の種々様々なディスペンサーがある。市販のディスペンサーの例には、ミネソタ州セントポール（St. Paul, Minnesota）の３Ｍ社（3M Company）からのものが挙げられ、それぞれ１０．２×１０．２ｃｍ（４×４インチ）又は７．６×７．６ｃｍ（３×３インチ）のメモ用紙用のデザイナーシリーズポップアップノートディスペンサー（Designer Series Pop-Up Notes Dispenser）ＤＳ４４０−ＶＰ又はＤＳ３３０−ＶＡ、それぞれ１０．２×１０．２ｃｍ（４×４インチ）又は７．６×７．６ｃｍ（３×３インチ）のメモ用紙用のプロフェッショナルデザインポップアップノートディスペンサー（Professional Design Pop-Up Notes Dispenser）ＰＲＯ−４４０ＶＰ又はＰＲＯ−３３０などが挙げられる。３Ｍはまた、ディスペンサーが垂直面に取り付け可能である、７．６×７．６ｃｍ（３×３インチ）のメモ用紙用のペンホルダー付きプロフェッショナルデザインポップアップディスペンサー（Professional Design Pop-Up Dispenser）ＰＲＯ３３１−ＲＢを提供する。これらのディスペンサーは、魅力的なデザインを提供し、かつ機能的である。
【発明の概要】
【発明が解決しようとする課題】
【０００４】
市場には、異なるディスペンサーが、引き続いて必要とされている。
【課題を解決するための手段】
【０００５】
一態様において、本発明は、第一側面及び第二側面、並びに開放端部及び閉鎖端部を有する一次空洞を有するディスペンサーであって、開放端部がメモ用紙パッドの挿入及び取出しを可能にするディスペンサーに関する。ディスペンサーは、ディスペンサーの閉鎖端部を画定するベースと、前側部分及び後側部分であって、それぞれの部分が、第一端部及び第二端部、並びに反対面をなす内側表面及び外側表面を有し、前側部分及び後側部分は、それぞれの部分の第二端部がベースに近接するようにベースの上に配置されており、前側部分が、第一端部から第二端部まで延びるスロットを含む、前側部分及び後側部分と、後側部分に近接して配置されたバイアス機構と、を更に含む。
【０００６】
本発明の利点は、再配置可能な異なるサイズのメモ用紙のパッドを使用するという多様性をユーザーに提供することである。１つの代表的な用途では、ディスペンサーが、垂直面上に取り付けられ、筆記用具を保持するための空洞を有して、追加の便利さをユーザーにもたらしている。
【０００７】
市販のディスペンサーの大部分は、再配置可能なメモ用紙のパッドを装填するのに、２つの動作又は段階、例えば１つの動作でカバーを開いて第二の動作でパッドを装填するなど、を必要とする。あるいは、１つの動作を用いてディスペンサー内のプランジャーを押し下げ、別の動作を用いてパッドを滑らせる。本発明の１つの利点は、パッドを単にディスペンサーの開口部に滑り込ませることによって、パッドの装填を１つの動作で可能にすることである。滑らせる行為は、同時にバイアス機構のプレートを押し下げ、パッドを装填するが、これについては以下で更に詳細に説明される。
【０００８】
本文書では、用語「約」は、すべての数値を修飾すると見なされる。
【図面の簡単な説明】
【０００９】
本発明は、次の図面を参照してより良く説明することができる。
【図１】本発明の１つの代表的な実施形態の斜視図。
【図２】図１の実施形態の平面図。
【図３】図１の実施形態の前面図。
【図４】図１の実施形態の底面図。
【図５】本発明の実施形態と共に使用するための、代表的なバイアス機構の部分的な断片図。
【図６ａ】図２の実施形態の線６ａ〜６ａに沿って見る、側断面図。
【図６ｂ】メモ用紙パッドが装填された、図６ａの実施形態の側断面図。
【図７】メモ用紙パッド及び用具が装填された、図１の実施形態の斜視図。
【図８】本発明の実施形態と共に使用するための、別の代表的なバイアス機構の部分的な断片図。
【図９】本発明の別の代表的な実施形態の平面図。
【００１０】
これらの図は理想化されており、一定の縮尺で描かれておらず、説明の目的だけを意図する。
【発明を実施するための形態】
【００１１】
図１は、代表的なディスペンサー１の斜視図を示しており、これは、ベース１０と、前側部分２０と、後側部分３０とを有し、第一側部５０ａ及び第二側部５０ｂを有する一次空洞１２を共に形成する。前側部分は、ディスペンサーの開放端部を画定する第一縁部２３と、第二縁部２４と、反対面をなす内側表面（図示せず）及び外側表面２１とを有する。同様に、後側部分は、ディスペンサーの開放端部を画定する第一縁部３３と、第二縁部３４と、反対面をなす内側表面３２及び外側表面３１とを有する。前側部分は、スロット２８によって分割された、第一前側部分２０ａ及び第二前側部分２０ｂを含む。所望により、第一前側部分及び第二前側部分は、開口２８ａ及び２８ｂをそれぞれ含む。スロットは、第一縁部２３から第二縁部２４まで延びる。前側部分及び後側部分は、各部分２４、３４の第二縁部がそれぞれベースに近接してあり、これによりディスペンサーの閉鎖端部を画定するように、ベースの上に配置されている。ディスペンサーの第一側部の近辺には、後側部分から延びる内部壁１３がある。内部壁の存在が、二次空洞１４を形成する。
【００１２】
この特定の実施形態では、前側部分及び後側部分は、サイドシーム５０ａ及び５０ｂにて共に結合された、別個の構成要素である。別の代表的な実施形態では、前側部分及び後側部分は、一体ユニットとして形成される。更に別の代表的な実施形態では、前側部分及び後側部分、並びにベースが、一体ユニットとして形成される。所望により、前側部分及び／又は後側部分は、半透明材料で作製することができ、また、しるし及び／又は図形を更に含むこともできる。図１はまた、本発明で使用可能である、代表的なバイアス機構４０を示している。以下で更に説明されるように、バイアス機構は、メモ用紙パッド（図示せず）を前側部分２０の内側表面に対して付勢する。
【００１３】
図２、５、６ａ、及び６ｂは、図１のディスペンサーの、特にバイアス機構４０の、様々な図を示す。ディスペンサーは、長さ寸法Ｌ及び奥行寸法Ｄを有する。図６ａに見られるように、再配置可能なメモ用紙のパッドがディスペンサーに装填されていない時、バイアス機構は、再配置可能なメモ用紙のパッドを前側部分の内側表面に対して付勢するために、後側部分３０の内側表面３２から前側部分２０の内側表面２２まで延びている。図５はバイアス機構をよりよく示しており、これはその機構を後側部分に取り付けるための手段を有するアーム４２を含む。機構を取り付けるための１つの代表的な手段は、後側部分の開口部３５に係合するように適合された、ピン４４を含む。アームから延びているのは、反対面をなす取付面４６ａ及び支持面４６ｂを有する、プレート４６である。所望により、リブ４９が、プレート４６の縁部から延びる。１つの実施形態では、リブは、再配置可能なメモ用紙の特定サイズのパッド、例えば７．６ｃｍ×７．６ｃｍ（３インチ×３インチ）のメモ用紙パッドなどを収容するように、間隔があけられる。リブは、分配中に、パッドの往復制御を助ける。パッドの往復制御の別の実施形態では、リブ４９の代わりに又はそれに加えて、ディスペンサーは、前側部分の内側表面に配置されるとともに特定サイズの再配置可能なメモ用紙のパッドを収容する間隔にあけられた一対のガイドを更に含んでもよい。後側部分の内側表面３２上に配置されたばね４８は、プレートを支えて、前側部分に向けて付勢する。再配置可能なメモ用紙のパッド７０がディスペンサーに挿入される時、プレートは、圧縮が少ない第一位置（図６ａに示される）から圧縮がより多い第二位置（図６ｂに示される）まで移動する。
【００１４】
後側部分の外側表面３１上に配置されているのは、ディスペンサーを作業面、壁、冷蔵庫の扉などの表面に取り付けるための手段である。この特定の実施形態は、ディスペンサーを取り付けるための１つの代表的な手段が、剥離性接着剤のストリップ６２と、表面に予め取り付けられた相補的なフック装置に噛み合うフック装置６４とを有する複合体６０であることを示している。代表的な剥離性接着剤のストリップ製品が、３Ｍ社（3M Company）からコマンド（Command：商標）ブランドの製品ラインで入手可能である。
【００１５】
図８は、本発明のディスペンサーに使用可能な、別の代表的なバイアス機構の分解図を示す。そのバイアス機構は、取付面１４６ａ及び反対面をなす支持面（図示せず）を有する、プレート１４６を含む。一対のピン１４４が、プレートの上縁部１４６ｂ近辺で、互いに反対側の側縁部１４６ｃ及び１４６ｄから延びている。それらのピンは、一次空洞内で後側部分の内側表面から延びる一対のフック１３５に係合するように適合されている。ピン及びフックが共になって、ヒンジを作り出す。延長部１４９上に取り付けられた中央コイルを有するねじりばね１４８は２つのアームを有し、第一アームは、後側部分１３０の内側表面１３２に接触し、第二アームは、プレートの支持面に接触している。ねじりばねが上にある延長部は、フックの間に取り付けられている。
【００１６】
図３は、高さ寸法Ｈを有する、図１のディスペンサーの前面図を示す。第一前側パネル２０ａ内の開口２８ａ及び第二前側パネル２０ｂ内の開口２８ｂは、特に多色のメモ用紙パッドが使用される場合に、装飾的特徴をディスペンサーにもたらす。例えば、メモ用紙パッドは、交互して青色及び緑色のメモ用紙を含んでもよく、その結果、青色メモ用紙が分配される際に、緑色メモ用紙が見える。この方法にて、ディスペンサーは、装飾的なデザイン要素をその環境にもたらす。第一縁部２３において丸みが付けられたスロット２８は、第一縁部に間隔寸法Ｓ１を有する。第一縁部２３から離れると、スロットの壁はほぼ真直ぐになり、前側部分の第二端部２４に近づくと、間隔寸法Ｓ２を有する。示されているように、Ｓ１はＳ２より大きい。ディスペンサーの第一縁部近辺のスロットのより広い幅は、最初のメモ用紙をより大きい半径の開口部においてスロットに通すことができるので、メモ用紙パッドを装填する助けになる。更に別の実施形態では、スロットは、間隔Ｓ１が間隔Ｓ２よりも小さい寸法を有し、その結果スロットは、前側部分の上縁部２３近辺において細首領域を有する。
【００１７】
図４は、図１のディスペンサーの底面図を示すものであり、丸い側部が付いた細長い形状を有するベース１０の露出面を示している。矩形などの他の形状も使用することができるが、これに限定されない。
【００１８】
図７は、再配置可能なメモ用紙のパッド７０が装填された、図１の実施形態の斜視図を示し、最初のメモ用紙７１がスロットを通って延びている。筆記用具８０が、二次空洞に挿入されている。再配置可能なメモ用紙のパッドは、各メモ用紙の裏側に再配置可能な接着剤のストライプを含む、互いに反対側の２つの縁部を有する。パッドは、再配置可能な接着剤のストライプがスロットにほぼ平行になるように、ディスペンサー内に装填される。
【００１９】
図９は、本発明の別の実施形態の平面図を示す。理解を容易にするために、ディスペンサーは、バイアス機構なし及びディスペンサーを表面に取り付けるための手段なしで示されている。第一内部壁１１３が、第一側面１５０ａに近接して、二次空洞１１４を形成している。内部壁は、後側部分の内側表面から前側部分に向かって延びている。別の実施形態では、内部壁は、後側部分の内側表面から前側部分の内側表面まで延びている。１つの用途では、二次空洞は、ペンやマーカーなどの筆記用具を保持するのに使用できる。所望により、第二内部壁１１５を、第二側面１５０ｂに近接して追加することができる。所望により、一対のガイド１２５が、前側部分１２０の内側表面１２２から延びる。一実施形態では、第一内部壁と第二内部壁との間の距離が、特定のパッドのサイズ、例えば１０．２ｃｍ×１０．２ｃｍ（４インチ×４インチ）の再配置可能なメモ用紙のパッドなどを収容する。一実施形態では、前側部分は半透明である。そのような場合、後側部分から延びて前側部分に接触している内部壁１１３及び１１５を有さないのが望ましいことがある。
【００２０】
ディスペンサーは、プラスチック、金属、及び木材を含む、様々な材料で作製することができる。好適なプラスチック材料には、ＡＢＳ（アクリロニトリル−ブタジエン−スチレンポリマー）及びポリスチレンが挙げられるが、これらに限定されない。
【００２１】
一実施形態では、ディスペンサーは、１４．０ｃｍ（５  １／２インチ）の長さＬ、９．２ｃｍ（３．６３インチ）の高さＨ、及び２．５ｃｍ（１インチ）の奥行Ｄを有する。ディスペンサーは、一次空洞が１１．４ｃｍ（４  １／２インチ）であるように、その第一側面から２．５ｃｍ（１インチ）に配置された（図９において、Ｌ２として図的に示されている）、第一内部壁を有する。ディスペンサーは、その第二側面から０．６４ｃｍ（１／４インチ）に配置された（図９において、Ｌ３として図的に表されている）、第二内部壁を有する。第一内部壁と第二内部壁との間の距離は、１０．５ｃｍ（４．１２５インチ）である。ディスペンサーはまた、前側部分の内側表面から延びるとともに７．９ｃｍ（３．１２５インチ）間隔があけられた、一対のガイドを有する。この方法にて、この特定のディスペンサーは、２つのサイズの再配置可能なメモ用紙のパッド、即ち１０．２ｃｍ×１０．２ｃｍ（４インチ×４インチ）のパッド及び７．６ｃｍ×７．６ｃｍ（３インチ×３インチ）のパッドを保持することができる。
【００２２】
本発明の特定の実施形態を示し、記載してきたが、これらの実施形態は、本発明の原理の適用において考案することができる多数の可能な特定の構成を単に例示するものであることが理解される。多数の様々な他の構成が、本発明の趣旨及び範囲から逸脱することなく、当業者によってこれらの原理に従って考案されることができる。このように、本発明の範囲は本出願に記載の構造に限定されるべきではなく、特許請求の範囲の文言によって記載の構造及びそれらの構造と同等のものによってのみ限定されるものである。
【図１】
2009544536.tif 000003
【図２】
2009544536.tif 000004
【図３】
2009544536.tif 000005
【図４】
2009544536.tif 000006
【図５】
2009544536.tif 000007
【図６ａ】
2009544536.tif 000008
【図６ｂ】
2009544536.tif 000009
【図７】
2009544536.tif 000010
【図８】
2009544536.tif 000011
【図９】
2009544536.tif 000012
【国際調査報告】
2009544536.tif 000013
2009544536.tif 000014